【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
眼の視力を改善するまたは眼の視力の改善を図る方法において、眼の角膜の表面モデルについて、前記表面モデル上の異なる位置に対する焦点を計測するステップと、焦点が所定の基準軸に移動するように前記表面モデルを修正するステップとを有し、修正された前記表面モデルが角膜の好ましい復元を表わすようにしたことを特徴とする方法。
【請求項２】
前記修正ステップは、角膜の形状を理学的に変更すること、および屈折障害の補正を意図した光学レンズを眼に適用することのいずれかにより、角膜を効果的に再成形することを表わすことを特徴とする請求項１に記載の方法。
【請求項３】
前記理学的な変更は、眼の角膜上の意図した角膜切除を含むことを特徴とする請求項２に記載の方法。
【請求項４】
前記光学レンズは、コンタクトレンズ、白内障レンズ、有水晶体レンズ、眼内レンズ、角膜内レンズ、および眼鏡レンズのうちの１つであることを特徴とする請求項２に記載の方法。
【請求項５】
前記基準軸は頂点を通過することを特徴とする請求項１乃至４のいずれか１項に記載の方法。
【請求項６】
前記基準軸はローカルＺ軸であることを特徴とする請求項１乃至５のいずれか１項に記載の方法。
【請求項７】
角膜の表面が、中央の帽子状部分と、該帽子状部分の放射状に外側へ向かう少なくとも１つの周縁帯部分とによりモデル化されることを特徴とする請求項１乃至６のいずれか１項に記載の方法。
【請求項８】
相互に外側へ連続して放射状に向かう複数の帯部分があることを特徴とする請求項７に記載の方法。
【請求項９】
前記帽子状部分の周縁が、前記基準軸から少なくとも略４．５ｍｍ離れていることを特徴とする請求項７または８に記載の方法。
【請求項１０】
角膜表面の少なくとも一部を３次元で滑らかな自由形式の表面として綿密に表わす前記角膜の表面モデルを作成するコンピュータプログラムを援用することで行われ、前記修正ステップは、修正済み表面モデルを作成するためにモデルの少なくとも一部の形状を変更することを含むことを特徴とする請求項１乃至９のいずれか１項に記載の方法。
【請求項１１】
前記修正ステップは、角膜の少なくとも一部の形状を修正済み表面モデルに適合させること、および光学レンズの表面の少なくとも一部の形状を修正済み表面モデルに適合させることのいずれかに対応することを特徴とする請求項１０に記載の方法。
【請求項１２】
中央の帽子状部分が、オリジナルの表面モデルを元に一連の弧として作成され、基準軸の周りを回転的間隔で配置され、表面モデルに適合することとし、前記多数の位置は基準軸および帽子状部分の周縁間に延びる選択された弧であり、弧の端部間の弦の垂直２等分線が基準軸と交差する点Ｘを配置させることと、弧の２つの端部間の修正済みの弧を点Ｘから描くために半径として使用される、点Ｘおよび基準軸と表面モデルとの交差点間の距離と、修正済み表面モデルを画定する修正済みの弧を円滑に接合することとによって、弧の焦点を再び合わせることを特徴とする請求項１０または１１に記載の方法。
【請求項１３】
中央の帽子状部分の放射状に外側へ向かう帯部分が、オリジナルの表面モデルを元に一連の弧として作成され、基準軸の周りを回転的間隔で配置され、表面モデルに適合することとし、前記多数の位置は帯部分の周縁間に延びる選択された弧であり、弧の端部間の弦の垂直２等分線が基準軸と交差する点Ｘを配置させることと、弧の２つの端部間の修正済みの弧を点Ｘから描くために半径として使用される、点Ｘおよび基準軸と表面モデルとの交差点間の距離と、修正済み表面モデルを画定する修正済みの弧を円滑に接合することとによって弧の焦点を再び合わせることを特徴とする請求項１０乃至１２のいずれか１項に記載の方法。
【請求項１４】
修正済み弧を作成した後、対応するオリジナルの弧からの修正済み弧の最長距離を測定するステップと、その距離が閾値を超える場合は点Ｘを基準軸に沿って移動させるステップと、閾値を超えない移動した点Ｘから新たな修正済みの弧を描くステップとをさらに有することを特徴とする請求項１２または１３に記載の方法。
【請求項１５】
修正済み表面モデルを未修正の表面モデルに対応するよう配向するステップと、２つのモデルがちょうど接触するまで一緒に移動させるステップと、最初の接触点が修正済み表面モデルの中心付近の場合、修正済み表面モデルの周縁がオリジナルの表面モデルとちょうど接触するまで２つのモデルを一緒に移動させるステップとをさらに有することを特徴とする請求項１０乃至１４のいずれか１項に記載の方法。
【請求項１６】
眼の視力を改善するための光学レンズにおいて、眼の角膜表面上の異なる位置に対応する自身の表面上の焦点領域を有し、各焦点領域は、角膜の対応する位置の焦点が眼の所定の基準軸を移動するように成形されていることを特徴とするレンズ。
【請求項１７】
白内障レンズ、有水晶体レンズ、眼内レンズ、角膜内レンズ、および眼鏡レンズのいずれかを含むことを特徴とする請求項１６に記載のレンズ。
【請求項１８】
前記基準軸は頂点を通過することを特徴とする請求項１６または１７に記載のレンズ。    
【請求項１９】
前記基準軸はローカルＺ軸であることを特徴とする請求項１６乃至１８のいずれか１項に記載のレンズ。
【請求項２０】
レンズ表面が、中央の帽子状部分、および、帽子状部分の前記基準軸に対して放射状に外側へ向かう少なくとも１つの周縁帯部分として、表面が構成されていることを特徴とする請求項１６乃至１９のいずれか１項に記載のレンズ。
【請求項２１】
相互に放射状に外側に向かう複数の帯部分を有することを特徴とする請求項２０に記載のレンズ。
【請求項２２】
前記帽子状部分の周縁は、前記基準軸から少なくとも略４．５ｍｍ離れていることを特徴とする請求項２０または２１に記載のレンズ。
【請求項２３】
角膜表面の少なくとも一部を３次元で滑らかな自由形式の表面として綿密に表わす角膜の表面モデルを作成するコンピュータプログラムを援用することで設計され、前記モデルは、修正済み表面モデルに形状が適合するレンズの少なくとも一部において各対応する位置で形状が修正されていることを特徴とする請求項１６乃至２２のいずれか１項に記載のレンズ。
【請求項２４】
角膜の形状の理学的な変更を制御することと、眼の屈折障害を矯正するために眼に適用するレンズの形状を制御することとのいずれかにより、角膜を効果的に再成形することで眼の視力を改善するシステムにおいて、角膜の表面上の異なる位置の焦点を所定の基準軸に移動させるように前記再成形を制御する制御装置を備えることを特徴とするシステム。    
【請求項２５】
レンズは、白内障レンズ、有水晶体レンズ、眼内レンズ、角膜内レンズ、および眼鏡レンズのいずれかを含むことを特徴とする請求項２４に記載のシステム。
【請求項２６】
前記制御装置により、前記基準軸は頂点を通過することを特徴とする請求項２４または２５に記載のシステム。
【請求項２７】
前記制御装置により、前記基準軸はローカルＺ軸と実質的に一致することを特徴とする請求項２４乃至２６のいずれか１項に記載のシステム。
【請求項２８】
前記制御装置により、中央の帽子状部分、および、帽子状部分の前記基準軸に対して放射状に外側へ向かう少なくとも１つの周縁帯部分として、レンズ表面が構成されることを特徴とする請求項２４乃至２７のいずれか１項に記載のシステム。
【請求項２９】
前記制御装置により、相互に放射状に外側へ向かう複数の帯部分をレンズ表面は含むことを特徴とする請求項２８に記載のシステム。
【請求項３０】
前記制御装置により、帽子状部分の周縁は前記基準軸から少なくとも略４．５ｍｍ離れていることを特徴とする請求項２８または２９に記載のシステム。
【請求項３１】
前記制御装置は、角膜表面の少なくとも一部を３次元で滑らかな自由形式の表面として綿密に表わす角膜の表面モデルを作成するコンピュータプログラムを利用し、前記制御装置により、モデルは、レンズの少なくとも一部が修正済み表面モデルと形状が適合するよう各対応する位置で形状が修正されることを特徴とする請求項２８乃至３０のいずれか１項に記載のシステム。
【請求項３２】
視力を改善するまたは視力の改善を図るための解析を含み、所定の基準軸として定義された３次元の角膜の表面の少なくとも一部を近似的に表わす眼の角膜の表面モデルを利用して、眼の角膜を解析する方法であって、以下のステップを有することを特徴とする方法。
ａ）前記基準軸と前記表面モデルの周辺境界との間にあり、前記表面モデルと前記基準軸を含む平面との交差としての前記表面モデルの特性曲線を生成する
ｂ）閉じて適した実質的に円状の特性弧として、前記特性曲線を評価する
ｃ）前記平面を前記基準軸の回りに回転し、ステップａ）及びｂ）を繰り返して追加の弧を生成し、ステップａ），ｂ）及びｃ）を繰り返して前記表面モデルを表わす所定数の特性弧を生成する
ｄ）前記表面モデルの特性として、前記平面の角位置に対する弧径の表示を生成する
【請求項３３】
角膜の一部は概して帽子状をなしていることを特徴とする請求項３２に記載の方法。
【請求項３４】
角膜の一部は、前記基準軸に対して外側へ概して帽子状をなす周辺帯であることを特徴とする請求項３２に記載の方法。
【請求項３５】
角膜表面の少なくとも一部を３次元で滑らかな自由形式の表面として綿密に表わす角膜の表面モデルを作成するコンピュータプログラムを利用して行うことを特徴とする請求項３２乃至３４のいずれか１項に記載の方法。